(57)【要約】【課題】軸方向の荷重や軸方向に垂直な方向の荷重に対して高い剛性を有する、回転機械の支持構造を提供する。【解決手段】横軸型液体ポンプなどの回転機械の支持構造は、回転機械１００を支持するための、互いに向き合う一対の支持台座２１，２３と、一対の支持台座２１，２３の軸方向端面２１ａ，２３ａにそれぞれ接続された矩形状の一対の補強部材２９ａ，３０ａを備える。【選択図】図２
2017160871.tif 000002
【特許請求の範囲】
【請求項１】
回転機械の支持構造において、
前記回転機械を支持するための、互いに向き合う一対の支持台座と、
前記一対の支持台座の軸方向端面にそれぞれ接続された矩形状の一対の補強部材を備えることを特徴とする回転機械の支持構造。
【請求項２】
前記補強部材の、前記回転機械の軸方向に沿った長さは、前記支持台座の前記軸方向に沿った長さの４分の１から２分の１であることを特徴とする請求項１に記載の回転機械の支持構造。
【請求項３】
前記一対の補強部材は、一対の第１の補強部材であり、
前記一対の第１の補強部材には、矩形状の一対の第２の補強部材がそれぞれ接続されており、
前記第２の補強部材は、前記第１の補強部材から、前記回転機械の軸方向に垂直な方向に延びていることを特徴とする請求項１または２に記載の回転機械の支持構造。
【請求項４】
前記支持台座の内側面から前記第２の補強部材の最も外側の面までの、前記軸方向に垂直な方向における距離は、前記支持台座の幅の１．２倍から２．０倍であることを特徴とする請求項３に記載の回転機械の支持構造。
【請求項５】
回転機械の支持構造において、
前記回転機械を支持するための、互いに向き合う一対の支持台座と、
前記一対の支持台座にそれぞれ接続された矩形状の一対の補強部材を備え、
前記補強部材は、前記支持台座から、前記回転機械の軸方向に垂直な方向に突出していることを特徴とする回転機械の支持構造。
【請求項６】
前記補強部材は、前記支持台座の外側面または軸方向端面に接続されていることを特徴とする請求項５に記載の回転機械の支持構造。
【請求項７】
前記補強部材の、前記回転機械の軸方向に沿った長さは、前記支持台座の前記軸方向に沿った長さの１００分の１から１０分の１であることを特徴とする請求項５または６に記載の回転機械の支持構造。
【請求項８】
前記支持台座の内側面から前記補強部材の最も外側の面までの、前記軸方向に垂直な方向における距離は、前記支持台座の幅の１．２倍から２．０倍であることを特徴とする請求項５乃至７のいずれか一項に記載の回転機械の支持構造。
【請求項９】
前記一対の補強部材は、一対の第１の補強部材であり、
前記一対の第１の補強部材には、矩形状の一対の第２の補強部材がそれぞれ接続されており、
前記第２の補強部材は、前記第１の補強部材から前記軸方向に延びていることを特徴とする請求項５乃至８のいずれか一項に記載の回転機械の支持構造。
【発明の詳細な説明】
【技術分野】
【０００１】
本発明は、液体または気体を移送するための横軸型回転機械の支持構造に関する。
【背景技術】
【０００２】
ボイラ給水システム、石油・化学プラント工場、製鉄所などでは、数ＭＰａから２０数ＭＰａの高圧水が必要とされるプロセスが存在する。そこで、そのような高圧水を供給するために横軸多段遠心ポンプが用いられる。
【０００３】
図１６は、横軸多段遠心ポンプの一例を示す断面図である。図１６に示される回転機械としての多段ポンプ１００は、複数の羽根車２と、これら羽根車２が固定される回転軸１を有している。回転軸１は、水平に延びており、スラスト軸受９Ａおよびラジアル軸受９Ｂに支持されている。複数の羽根車２は、回転軸１上に直列に配列されていて、これら羽根車２をそれぞれ囲むように複数のガイドベーン６が配置される。回転軸１の一端は図示しない電動機などの駆動機に連結されており、この駆動機によって回転軸１および羽根車２が回転されるようになっている。
【０００４】
羽根車２およびガイドベーン６は、ポンプケーシング５内に配置されている。回転軸１の回転とともに複数の羽根車２が回転すると、吸込口３から水などの液体が吸込まれ、羽根車２とガイドベーン６との作用により、液体の圧力が上昇されて液体が吐出口４から吐き出される。一つの羽根車２により加圧された液体は、次の羽根車２により更に加圧され、このような羽根車２による加圧が、備えられた羽根車２の数だけ繰り返される。
【０００５】
複数の羽根車２は同じ方向を向いて配列されているため、隣り合う羽根車２間の圧力差により生じるスラスト力が羽根車２の枚数分重なりあい、大きなスラスト力が発生する。このスラスト力は、多段ポンプ１００内に設けられたバランス装置７により相殺されるが、それでも運転時にはある程度のスラスト力が残留する。この残留スラスト力は、スラスト軸受９Ａで支持され、スラスト軸受９Ａのステータ側自体は、ポンプケーシング５に支えられる。ポンプケーシング５は、図示しない台座に固定され、この台座は架台や基礎により支えられている。したがって、最終的に残留スラスト力は、これらの台座、架台、基礎により支えられていることになる。
【０００６】
複数の羽根車２により加圧された水などの液体は、最終的に多段ポンプ１００の吐出口４から吐出される。このとき、ポンプケーシング５には、液体が吐出される方向とは反対方向に反作用の力がかかる。吐出口４の方向は設置スペースの関係で必ずしも一定の方向ではなく、上方、下方、右方向、左方向などいろいろな方向をとりうる。したがって、ポンプケーシング５を支える台座や、更に台座を支える架台などにも偏った力がかかる。
【０００７】
また、液体が羽根車２およびガイドベーン６を通過する前後で、液体の圧力は必ずしもなめらかな連続な状態ではない。このため、ポンプケーシング５の径方向の様々な向きにその影響による振動や力がかかる。したがって、ポンプケーシング５を支える台座や、この台座を支える架台などにも、その影響による力がかかる。このため、多段ポンプ１００を支える台座や架台については、適切な剛性が必要とされる。
【０００８】
特許文献１には、従来の支持台座の補強構造が開示されている。図１７（ａ）は、従来の支持台座を軸方向から見た概略図であり、図１７（ｂ）は軸方向とは垂直な方向から見た図であり、図１７（ｃ）は平面図である。これら図面に記載されている支持台座１２１，１２３は、横軸ポンプ１００を支持するためのものである。支持台座１２１，１２３は架台１２６に固定されている。
【０００９】
軸方向（回転軸１の延びる方向）に延びる補強部材１２２ａ，１２２ｂは支持台座１２１に固定されており、同じく軸方向に延びる補強部材１２４ａ，１２４ｂは支持台座１２３に固定されている。これらの補強部材１２２ａ，１２２ｂ，１２４ａ，１２４ｂによって支持台座１２１，１２３の剛性が強化されている。さらに、必要に応じて、軸方向とは垂直な方向に延びる補強部材１２２ｃ，１２４ｃを支持台座１２１，１２３に固定し、更に剛性強化を図っている。
【００１０】
このような従来の支持台座の補強構造には、特許文献１に指摘されている問題の他、次のような問題がある。すなわち、軸方向に延びる補強部材１２２ａ，１２２ｂ，１２４ａ，１２４ｂは、略直角三角形の板材である。この各補強部材の、直角を挟む２辺のうち１辺は架台１２６の上面に接続され、残りの１辺は各支持台座の垂直面に接続される。しかしながら、補強部材１２２ａ，１２２ｂ，１２４ａ，１２４ｂは板状であるので、図１８（ａ）に示すように、軸方向（矢印Ａで示す方向）の荷重が加わった時に曲がりやすい。また、図１８（ｂ）に示すように、軸方向とは垂直な方向に延びる補強部材１２２ｃ，１２４ｃも、軸方向とは垂直な方向（矢印Ｂで示す方向）に荷重が加わった時に、同様に曲がりやすい。さらに、補強部材１２２ｃ，１２４ｃは支持台座１２１，１２３の内側にあるため、軸方向に垂直な方向の力がかかった場合に支持台座１２１，１２３の剛性強化にあまり寄与しない。
【先行技術文献】
【特許文献】
【００１１】
【特許文献１】特開２０１４−１１４８２２号公報
【発明の概要】
【発明が解決しようとする課題】
【００１２】
そこで、本発明は、軸方向の荷重や軸方向に垂直な方向の荷重に対して高い剛性を有する、回転機械の支持構造を提供することを目的とする。
【課題を解決するための手段】
【００１３】
上述した目的を達成するために、本発明の一態様は、回転機械の支持構造において、前記回転機械を支持するための、互いに向き合う一対の支持台座と、前記一対の支持台座の軸方向端面にそれぞれ接続された矩形状の一対の補強部材を備えることを特徴とする。
本発明の好ましい態様は、前記補強部材の、前記回転機械の軸方向に沿った長さは、前記支持台座の前記軸方向に沿った長さの４分の１から２分の１であることを特徴とする。
本発明の好ましい態様は、前記一対の補強部材は、一対の第１の補強部材であり、前記一対の第１の補強部材には、矩形状の一対の第２の補強部材がそれぞれ接続されており、前記第２の補強部材は、前記第１の補強部材から、前記回転機械の軸方向に垂直な方向に延びていることを特徴とする。
本発明の好ましい態様は、前記支持台座の内側面から前記第２の補強部材の最も外側の面までの、前記軸方向に垂直な方向における距離は、前記支持台座の幅の１．２倍から２．０倍であることを特徴とする。
【００１４】
本発明の一態様は、回転機械の支持構造において、前記回転機械を支持するための、互いに向き合う一対の支持台座と、前記一対の支持台座にそれぞれ接続された矩形状の一対の補強部材を備え、前記補強部材は、前記支持台座から、前記回転機械の軸方向に垂直な方向に突出していることを特徴とする。
本発明の好ましい態様は、前記補強部材は、前記支持台座の外側面または軸方向端面に接続されていることを特徴とする。
本発明の好ましい態様は、前記補強部材の、前記回転機械の軸方向に沿った長さは、前記支持台座の前記軸方向に沿った長さの１００分の１から１０分の１であることを特徴とする。
本発明の好ましい態様は、前記支持台座の内側面から前記補強部材の最も外側の面までの、前記軸方向に垂直な方向における距離は、前記支持台座の幅の１．２倍から２．０倍であることを特徴とする。
本発明の好ましい態様は、前記一対の補強部材は、一対の第１の補強部材であり、前記一対の第１の補強部材には、矩形状の一対の第２の補強部材がそれぞれ接続されており、前記第２の補強部材は、前記第１の補強部材から前記軸方向に延びていることを特徴とする。
【発明の効果】
【００１５】
液体ポンプなどの回転機械の取付状況や運転状況により、回転機械の支持台座に、軸方向の荷重や軸方向に垂直な方向の荷重が加わっても、そのような荷重を適切に支持することができる高剛性な支持構造を提供することができる。
【図面の簡単な説明】
【００１６】
【図１】回転機械の支持構造の一実施形態を示す側面図である。
【図２】図１に示す実施形態の平面図である。
【図３】図１に示す実施形態を軸方向から見た図である。
【図４】回転機械の支持構造の他の実施形態を示す側面図である。
【図５】図４に示す実施形態の平面図である。
【図６】図４に示す実施形態を軸方向から見た図である。
【図７】回転機械の支持構造のさらに他の実施形態を示す側面図である。
【図８】図７に示す実施形態の平面図である。
【図９】図７に示す実施形態を軸方向から見た図である。
【図１０】回転機械の支持構造のさらに他の実施形態を示す側面図である。
【図１１】図１０に示す実施形態の平面図である。
【図１２】図１０に示す実施形態を軸方向から見た図である。
【図１３】回転機械の支持構造のさらに他の実施形態を示す側面図である。
【図１４】図１３に示す実施形態の平面図である。
【図１５】図１３に示す実施形態を軸方向から見た図である。
【図１６】回転機械の一例である横軸多段遠心ポンプを示す断面図である。
【図１７】図１７（ａ）は、従来の支持台座を軸方向から見た概略図であり、図１７（ｂ）は軸方向とは垂直な方向から見た図であり、図１７（ｃ）は平面図である。
【図１８】図１８（ａ）および図１８（ｂ）は、補強部材が荷重を受けて変形する様子を示す図である。
【発明を実施するための形態】
【００１７】
以下、本発明の実施形態について図面を参照して説明する。以下に説明する実施形態は、本発明を回転機械の一例である横軸型液体ポンプに適用した例であるが、本発明はこの実施形態に限定されず、ファン、コンプレッサ、タービンなどの、気体または液体などの流体を移送するための他の回転機械にも適用することができる。
【００１８】
図１乃至図３において、多段ポンプ１００は、互いに向き合った一対の支持台座２１，２３に支持され、固定される。これら支持台座２１，２３は、架台（あるいは基礎）２６に溶接あるいはボルトなどの締結部材で固定されている。駆動機１０は、架台（あるいは基礎）２７に固定された支持台座２８に固定される。本実施形態では、多段ポンプ１００のための架台２６と、駆動機１０のための架台２７は互いに切り離されているが、本発明はこの実施形態に限らない。例えば、架台２６と架台２７は一体的な構造物であってもよい。すなわち、多段ポンプ１００を支持する支持台座２１，２３と、駆動機１０を支持する支持台座２８は、共通の架台に固定されてもよい。多段ポンプ１００の回転軸１と駆動機１０の駆動軸１１は、カップリング１２を介して連結されている。多段ポンプ１００の構造は、図１６に示す構造と同じであるので、同一の構成要素には同一の符号を付してその重複する説明を省略する。
【００１９】
支持台座２１，２３は、鉄またはコンクリートから構成されている。支持台座２１，２３は対称的な形状を有している。支持台座２１，２３の、多段ポンプ１００の軸方向（すなわち、回転軸１の延びる方向）に沿った長さＬは、吸込口３と吐出口４との間隔以上である。図２に示すように、支持台座２１，２３の幅Ｗは、長さＬの一割以上である。なお、幅Ｗは、各支持台座の平均幅である。図３に示すように、支持台座２１，２３の高さＨは、ポンプケーシング５の最下面が架台（あるいは基礎）２６の上面から離れる程度の高さである。支持台座２１，２３の内部を中空としてもよい。この場合は、支持台座２１，２３の面を板材で形成する構造になるが、その板材の厚さは、長さＬの１％以上である。
【００２０】
背景技術で説明したように、複数の羽根車２はポンプケーシング５内に配置されている（図１６参照）。回転軸１の回転とともに複数の羽根車２が回転すると、一つの羽根車２により加圧された水などの液体は、次の羽根車２により更に加圧され、このような羽根車２による加圧が繰り返されて最終的に吐出口４にて最高圧力に至る。
【００２１】
複数の羽根車２は同じ方向を向いて配列されているので、隣り合う羽根車２間の圧力差によりスラスト力が羽根車２の枚数分重なりあい、大きなスラスト力が発生する。このスラスト力は多段ポンプ１００内に設けられたバランス装置７（図１６参照）により相殺されるが、それでも運転時にはある程度のスラスト力が残留する。この残留スラスト力は、スラスト軸受９Ａ（図１６参照）により支持される。スラスト軸受９Ａのステータ側はポンプケーシング５に固定される。ポンプケーシング５は支持台座２１，２３に支持されており、支持台座２１，２３は架台２６の上面に固定されている。
【００２２】
スラスト力は、ポンプ１００に供給される水などの液体の圧力変動と、ポンプ１００から吐出された液体を使用することによって生じる圧力変動に依存して変動する。このスラスト力を支持する支持台座２１，２３の剛性を補強するために、本実施形態の支持構造は、矩形状の補強部材２９ａ，３０ａを備えている。補強部材２９ａ，３０ａは、軸方向に垂直な方向から見たときに矩形状を有している。補強部材２９ａ，３０ａは、対称的な形状を有している。補強部材２９ａ，３０ａは、鉄またはコンクリートから構成されている。補強部材２９ａ，３０ａは、支持台座２１，２３と架台２６とに溶接あるいはボルトなどの締結部材で固定されている。
【００２３】
補強部材２９ａ，３０ａの、多段ポンプ１００の軸方向に沿った長さＬｓは、支持台座２１，２３の長さＬの４分の１以上であって、かつ２分の１以下である（すなわち、Ｌｓ＝Ｌ／４〜Ｌ／２）。また、補強部材２９ａ，３０ａの高さＨｓは、支持台座２１，２３の高さＨの２分の１以上であって、かつ高さＨ以下である（すなわち、Ｈｓ＝Ｈ／２〜Ｈ）。さらに、補強部材２９ａ，３０ａの幅Ｗｓは、支持台座２１，２３の幅Ｗの２０分の１以上であり、かつ幅Ｗ以下である（すなわち、Ｗｓ＝Ｗ/２０〜Ｗ）。なお、補強部材２９ａ，３０ａの幅Ｗｓとは、軸方向に垂直な方向における補強部材２９ａ，３０ａの幅をいう。補強部材２９ａ，３０ａの内部を中空としてもよい。この場合は、補強部材２９ａ，３０ａの面を板材で形成する構造になるが、その板材の厚さは、やはり、長さＬの１％以上である。
【００２４】
補強部材２９ａ，３０ａは、支持台座２１，２３の軸方向端面２１ａ，２３ａ，２１ｂ，２３ｂ（つまり、多段ポンプ１００の軸方向における端面）に接続されている。このようにすることで、補強部材２９ａ，３０ａは充分な幅Ｗｓ（Ｗｓ＝Ｗ／２０〜Ｗ）を持つので、荷重を受けたときに曲がることはなく、支持台座２１，２３を補強することができる。尚、スラスト力を支持することだけが目的であれば、補強部材２９ａ，３０ａは、支持台座２１，２３の吐出口側の軸方向端面２１ａ，２３ａ、または吸込口側の軸方向端面２１ｂ，２３ｂのいずれか一方にのみ接続してもよい。より確実な補強が必要な場合には、図１および図２に示すように、吐出口側の軸方向端面２１ａ，２３ａおよび吸込口側の軸方向端面２１ｂ，２３ｂの両方に補強部材２９ａ，３０ａを接続してもよい。
【００２５】
ところで、複数の羽根車２により加圧された水などの液体は、最終的に多段ポンプ１００の吐出口４から吐出される。このとき、ポンプケーシング５には、液体が吐出される方向とは反対方向に反作用の力がかかる。吐出口４の方向は設置スペースの関係で必ずしも一定の方向ではなく、上方、下方、右方向、左方向などいろいろな方向をとりうる。したがって、ポンプケーシング５を支える支持台座２１，２３や、支持台座２１，２３を支える架台２６には、軸方向に垂直な方向に力がかかる。そこで、そのような力に応じて支持台座２１，２３の剛性を補強するために、上記補強部材２９ａ，３０ａに代えて、補強部材２９ｂ，３０ｂを設けた例を図４乃至図６に示す。
【００２６】
補強部材２９ｂ，３０ｂは、軸方向に垂直な方向から見たときに矩形状を有している。補強部材２９ｂ，３０ｂは、対称的な形状を有している。補強部材２９ｂ，３０ｂは、支持台座２１，２３の外側面２１ｃ，２３ｃに接続されている。外側面２１ｃ，２３ｃは、多段ポンプ１００のポンプケーシング５を向いた内側面２１ｄ，２３ｄとは反対側の面である。補強部材２９ｂ，３０ｂは、支持台座２１，２３から軸方向に垂直な方向に外側に突出している。
【００２７】
補強部材２９ｂ，３０ｂが支持台座２１，２３に接続される位置は、特に限定されない。本実施形態では、補強部材２９ｂ，３０ｂは、吐出口側の軸方向端面２１ａ，２３ａに近い位置において、支持台座２１，２３の外側面２１ｃ，２３ｃに接続されている。これは、軸方向端面２１ａ，２３ａと外側面２１ｃ，２３ｃが接続されて形成される角部は、変形しにくいからである。この位置に補強部材２９ｂ，３０ｂを接続することにより、支持台座２１，２３の変形をより小さくすることができる。同じ理由から、補強部材２９ｂ，３０ｂは、吸込口側の軸方向端面２１ｂ，２３ｂに近い位置において、支持台座２１，２３の外側面２１ｃ，２３ｃに接続されてもよい。一実施形態では、補強部材２９ｂ，３０ｂは、支持台座２１，２３の外側面２１ｃ，２３ｃの中央部に接続されてもよい。
【００２８】
補強部材２９ｂ，３０ｂは、鉄またはコンクリートから構成されている。図６に示すように、補強部材２９ｂ，３０ｂは、支持台座２１，２３の外側面２１ｃ，２３ｃに接続され、さらに架台２６の上面にも接続されている。補強部材２９ｂ，３０ｂは、支持台座２１，２３と架台２６とに溶接あるいはボルトなどの締結部材で固定されている。
【００２９】
図４に示すように、補強部材２９ｂ，３０ｂの、多段ポンプ１００の軸方向に沿った長さＬｔは、支持台座２１，２３の長さＬの１００分の１以上であって、かつ１０分の１以下である（すなわち、Ｌｔ＝Ｌ／１００〜Ｌ／１０）。図６に示すように、補強部材２９ｂ，３０ｂ高さＨｔは、支持台座２１，２３の高さＨの２分の１以上であって、かつ支持台座２１，２３の高さＨ以下である（すなわち、Ｈｔ＝Ｈ／２〜Ｈ）。
【００３０】
支持台座２１（２３）の内側面２１ｄ（２３ｄ）から、補強部材２９ｂ（３０ｂ）の最も外側の面までの、軸方向に垂直な方向における距離、すなわち、支持台座２１（２３）の幅Ｗと補強部材２９ｂ（３０ｂ）の幅の合計は、１．２Ｗから２．０Ｗである。補強部材２９ｂ，３０ｂの内部を中空としてもよい。この場合は、補強部材２９ｂ，３０ｂの面を板材で形成する構造になるが、その板材の厚さは、やはり、長さＬの１％以上である。
【００３１】
このように、補強部材２９ｂ，３０ｂは、ポンプ１００から離れる方向に延びているので、軸方向に垂直な方向において支持台座２１，２３を補強することができる。更に、補強部材２９ｂ，３０ｂの、多段ポンプ１００の軸方向に沿った長さＬｔが、Ｌ／１００〜Ｌ／１０であるので、軸方向に垂直な方向に荷重が加わった時に補強部材２９ｂ，３０ｂが曲がることはない。
【００３２】
一実施形態では、図７乃至図９に示すように、補強部材２９ｂ，３０ｂを、支持台座２１，２３の吐出口側の軸方向端面２１ａ，２３ａに接続してもよい。この実施形態でも、補強部材２９ｂ，３０ｂは、支持台座２１，２３から軸方向に垂直な方向に突出している。
【００３３】
実際のポンプには、スラスト力も、吐出口４から吐出される液体から受ける反作用の力も、同時にポンプケーシング５にかかる。上述した図１乃至図３に示す実施形態に係る補強部材２９ａ，３０ａは、主としてスラスト力を支持するのに適しており、上述した図４乃至図９に示す実施形態に係る補強部材２９ｂ，３０ｂは、主として上記反作用の力を支持するのに適している。しかしながら、スラスト力と反作用の力の両方が無視できない場合が多い。
【００３４】
図１０乃至図１２は、スラスト力も、吐出口４から吐出される液体から受ける反作用の力も、同時に支持することができる実施形態を示す図である。この実施形態では、スラスト力を支持するために、図１乃至図３で説明した補強部材２９ａ，３０ａが、支持台座２１，２３の吐出口側の軸方向端面２１ａ，２３ａに接続されている。さらに、液体から受ける反作用の力を支持するために、図４乃至図６で説明した補強部材２９ｂ，３０ｂが補強部材２９ａ，３０ａの軸方向端面に接続されている。
【００３５】
補強部材２９ａ，３０ａおよび補強部材２９ｂ，３０ｂは、軸方向に並んでおり、溶接またはボルトなどの締結部材で互いに固定されている。補強部材２９ｂ，３０ｂは、軸方向において支持台座２１，２３から離れて配置されている。補強部材２９ａ，３０ａの一方の軸方向端面は、支持台座２１，２３の吐出口側の軸方向端面２１ａ，２３ａに接続され、補強部材２９ａ，３０ａの反対側の軸方向端面は、補強部材２９ｂ，３０ｂの側面に接続されている。補強部材２９ｂ，３０ｂは、補強部材２９ａ，３０ａから、軸方向に垂直な方向に外側に延びている。補強部材２９ｂ，３０ｂの外側の端面は、支持台座２１，２３よりも外側に位置している。
【００３６】
補強部材２９ａ，３０ａの長さ、高さ、および幅は、上述した図１乃至図３に示す実施形態における長さＬｓ、高さＨｓ、および幅Ｗｓと同じである。同様に、補強部材２９ｂ，３０ｂの長さおよび高さは、上述した図４乃至図６に示す実施形態におけるＬｔおよび高さＨｔと同じである。支持台座２１（２３）の内側面２１ｄ（２３ｄ）から、補強部材２９ｂ（３０ｂ）の最も外側の面までの距離、すなわち、支持台座２１（２３）の幅Ｗと補強部材２９ｂ（３０ｂ）の幅の合計は、１．２Ｗから２．０Ｗである。
【００３７】
本実施形態では、補強部材２９ａ，３０ａは第１の補強部材を構成し、補強部材２９ｂ，３０ｂは第２の補強部材を構成する。これら第１の補強部材と第２の補強部材は互いに垂直に接続されている。このような２種類の補強部材の組み合わせにより、スラスト力および液体からの反作用の力を同時に受ける支持台座２１，２３の剛性を向上させることができる。また、特許文献１では補強部材が薄いので、その厚さの方向に曲がりやすかったが、本発明の補強部材は、曲がる可能性のある方向に大きな幅を有しており、荷重を受けたときに曲がりにくい構造となっている。さらに、第１の補強部材と第２の補強部材を、それぞれの厚さ方向が異なるように組み合わせられているので、軸方向のみならず、軸方向に垂直な方向に曲がりづらい構造が実現できる。
【００３８】
図１３乃至図１５は、スラスト力も、吐出口４から吐出される液体から受ける反作用の力も、同時に支持することができる他の実施形態を示す図である。特に説明しない本実施形態の構成は、図１０乃至図１２に示す実施形態と同じであるので、その重複する説明を省略する。
【００３９】
本実施形態では、液体から受ける反作用の力を支持するために、図４乃至図６で説明した補強部材２９ｂ，３０ｂが支持台座２１，２３の外側面２１ｃ，２３ｃに接続されている。さらに、スラスト力を支持するために、図１乃至図３で説明した補強部材２９ａ，３０ａが、補強部材２９ｂ，３０ｂの最も外側の端面に接続されている。補強部材２９ｂ，３０ｂおよび補強部材２９ａ，３０ａは、軸方向に垂直な方向に並んでおり、溶接またはボルトなどの締結部材で互いに固定されている。
【００４０】
補強部材２９ａ，３０ａは、軸方向に垂直な方向において支持台座２１，２３から離れて配置されている。補強部材２９ｂ，３０ｂの内側の端面は、支持台座２１，２３の外側面２１ｃ，２３ｃに接続され、補強部材２９ｂ，３０ｂの外側の端面は補強部材２９ａ，３０ａの側面に接続されている。補強部材２９ａ，３０ａは、補強部材２９ｂ，３０ｂから軸方向に延びている。補強部材２９ａ，３０ａの全体は、支持台座２１，２３よりも外側に位置している。
【００４１】
本実施形態では、補強部材２９ｂ，３０ｂは第１の補強部材を構成し、補強部材２９ａ，３０ａは第２の補強部材を構成する。これら第１の補強部材と第２の補強部材は互いに垂直に接続されている。このような２種類の補強部材の組み合わせにより、スラスト力および液体からの反作用の力を同時に受ける支持台座２１，２３の剛性を向上させることができる。
【００４２】
補強部材２９ａ，３０ａの長さ、高さ、および幅は、上述した図１乃至図３に示す実施形態における長さＬｓ、高さＨｓ、および幅Ｗｓと同じである。同様に、補強部材２９ｂ，３０ｂの長さおよび高さは、上述した図４乃至図６に示す実施形態におけるＬｔおよび高さＨｔと同じである。支持台座２１（２３）の内側面２１ｄ（２３ｄ）から、補強部材２９ｂ（３０ｂ）の最も外側の面までの距離、すなわち、支持台座２１（２３）の幅Ｗと補強部材２９ｂ（３０ｂ）の幅の合計は、１．２Ｗから２．０Ｗである。
【００４３】
図１０乃至図１２に示した実施形態、および図１３乃至図１５に示した実施形態は、ラジアル荷重とスラスト荷重を支持する支持台座２１，２３の剛性を強化ができ、さらに、液体が羽根車２およびガイドベーン６を通過するときに生ずる不連続な圧力変動による、ポンプケーシング５にかかる様々な向きの力を支持する支持台座２１，２３の剛性をも強化することができる。
【００４４】
図１０乃至図１２に示した実施形態、および図１３乃至図１５に示した実施形態において、補強部材２９ａ，３０ａおよび補強部材２９ｂ，３０ｂは、鉄またはコンクリートから構成されている。補強部材２９ａ（３０ａ）と、補強部材２９ｂ（３０ｂ）は、別々の部品であってもよいし、または一体的な構造物であっても構わない。また、補強部材２９ａ，３０ａおよび補強部材２９ｂ，３０ｂの内部を中空としてもよい。この場合は、補強部材２９ａ，３０ａおよび補強部材２９ｂ，３０ｂの面を板材で形成する構造になるが、その板材の厚さは、やはり、長さＬの１％以上である。
【００４５】
以上、説明したが本発明の趣旨は、実施形態に限定されるものではなく、特許請求の範囲における技術的範囲によるものである。
【符号の説明】
【００４６】
１      回転軸
２      羽根車
３      吸込口
４      吐出口
５      ポンプケーシング
６      ガイドベーン
９Ａ    スラスト軸受
９Ｂ    ラジアル軸受
１０      駆動機
１１      駆動軸
１２      カップリング
２１，２３    支持台座
２６      架台
２７      架台
２８      支持台座
２９ａ，３０ａ，２９ｂ，３０ｂ    補強部材
１００    多段ポンプ
【図１】
2017160871.tif 000003
【図２】
2017160871.tif 000004
【図３】
2017160871.tif 000005
【図４】
2017160871.tif 000006
【図５】
2017160871.tif 000007
【図６】
2017160871.tif 000008
【図７】
2017160871.tif 000009
【図８】
2017160871.tif 000010
【図９】
2017160871.tif 000011
【図１０】
2017160871.tif 000012
【図１１】
2017160871.tif 000013
【図１２】
2017160871.tif 000014
【図１３】
2017160871.tif 000015
【図１４】
2017160871.tif 000016
【図１５】
2017160871.tif 000017
【図１６】
2017160871.tif 000018
【図１７】
2017160871.tif 000019
【図１８】
2017160871.tif 000020